(57)【要約】【課題】  いわゆるシステム天井の天井裏に、吹出しチャンバを安定的に設置することができるようにした、天井埋込型空気調和装置を提供する。【解決手段】  天井に吊り具を介して吊り下げられる保持バー１７、及びこの保持バー１７に保持される天井材２１を含むシステム天井の天井裏に設置され、送風機、及び熱交換器を有する室内機本体と、この室内機本体の吹出部にダクト１３を介して接続され、天井材２１の一部を切除して形成された開口２２に臨ませた吹出しチャンバ１４とを備え、この吹出しチャンバ１４には、保持バー１７に係合する位置出し部材２５を設けた。【選択図】      図４
2005282957.tif 000002
【特許請求の範囲】
【請求項１】
天井に吊り具を介して吊り下げられる保持バー、及びこの保持バーに保持される天井材を含むシステム天井の天井裏に設置され、送風機、及び熱交換器を有する室内機本体と、この室内機本体の吹出部にダクトを介して接続され、前記天井材の一部を切除して形成された開口に臨ませた吹出しチャンバとを備え、
この吹出しチャンバには、前記保持バーに係合する位置出し部材を設けたことを特徴とする天井埋込型空気調和装置。
【請求項２】
前記天井材の一部を切除して形成された開口に臨ませた吸込みチャンバを更に備え、この吸込みチャンバには、前記保持バーに係合する位置出し部材を設けたことを特徴とする請求項１記載の天井埋込型空気調和装置。
【請求項３】
前記吹出しチャンバ又は吸込みチャンバが前記保持バーに沿って配置されることを特徴とする請求項１又は２記載の天井埋込型空気調和装置。
【請求項４】
前記吹出しチャンバ又は吸込みチャンバが一部を切除した天井材の残りの部分を保持する補助具を備えたことを特徴とする請求項１乃至３のいずれか一項記載の天井埋込型空気調和装置。
【請求項５】
前記室内機本体の底部に天井裏に開口する吸込部を備えたことを特徴とする請求項１乃至４のいずれか一項記載の天井埋込型空気調和装置。
【請求項６】
前記室内機本体の吹出部、及び前記吹出しチャンバが同一方向に延びることを特徴とする請求項１乃至５のいずれか一項記載の天井埋込型空気調和装置。
【発明の詳細な説明】
【技術分野】
【０００１】
本発明は、システム天井の天井裏に配置される室内機本体を備えた天井埋込型空気調和装置に関する。
【背景技術】
【０００２】
近年、建築業界では、オフィス賃貸における貸し手、借り手の双方に自由度の高い、いわゆるグリッドシステム天井が提案されている。このグリッドシステム天井は、オフィスをスケルトン貸しして、借り手が自由に、任意のシステム天井を導入できるようにしたものであり、標準仕様で貸し出したオフィスを原状回復してから退去する従来のシステムと比べた場合、コストの削減等に寄与するとされている。
【０００３】
ところで、一般に、送風機、熱交換器、及びドレンパンを有する室内機本体を天井裏に設置し、この室内機本体の吹出部にダクトを介して吹出しチャンバを接続し、この吹出しチャンバの吹出部を室内に臨ませた天井埋込型空気調和装置が知られている（例えば、特許文献１参照）。
【特許文献１】特開２０００−２８３５４８号公報
【発明の開示】
【発明が解決しようとする課題】
【０００４】
上記構成による吹出しチャンバを、上述したシステム天井に設置する場合には、一部の天井材を切除して、この切除して形成された開口に、上記吹出しチャンバを取り付けることになる。しかしながら、一般に、システム天井では一枚でも天井材を取り外し、或いは、これを切除して、残りの天井材だけを取り付けることなどすると、天井全体の強度バランスが崩れるといった問題がある。また、吹出しチャンバと天井材との結合作業の簡便性といった新たな問題も考えられる。
【０００５】
そこで、本発明の目的は、上述した従来の技術が有する課題を解消し、いわゆるシステム天井の天井裏に、吹出しチャンバを安定的に且つ簡便に設置することができるようにした、天井埋込型空気調和装置を提供することにある。
【課題を解決するための手段】
【０００６】
本発明は、天井に吊り具を介して吊り下げられる保持バー、及びこの保持バーに保持される天井材を含むシステム天井の天井裏に設置され、送風機、及び熱交換器を有する室内機本体と、この室内機本体の吹出部にダクトを介して接続され、前記天井材の一部を切除して形成された開口に臨ませた吹出しチャンバとを備え、この吹出しチャンバには、前記保持バーに係合する位置出し部材を設けたことを特徴とする。
【０００７】
この場合において、前記天井材の一部を切除して形成された開口に臨ませた吸込みチャンバを更に備え、この吸込みチャンバには、前記保持バーに係合する位置出し部材を設けてもよい。前記吹出しチャンバ又は吸込みチャンバが前記保持バーに沿って配置されていてもよい。また、前記吹出しチャンバ又は吸込みチャンバが一部を切除した天井材の残りの部分を保持する補助具を備えていてもよい。また、前記室内機本体の底部に天井裏に開口する吸込部を備えていてもよい。さらに、前記室内機本体の吹出部、及び前記吹出しチャンバの吹出開口が同一方向に延びていてもよい。
【発明の効果】
【０００８】
本発明では、室内機本体の吹出部にダクトを介して吹出しチャンバを接続し、この吹出しチャンバを天井材の一部を切除して形成された開口に臨ませ、しかも、この吹出しチャンバには、保持バーに係合する位置出し部材を設けたため、いわゆるシステム天井の天井裏に、吹出しチャンバを安定的に設置することができる。
【発明を実施するための最良の形態】
【０００９】
以下、本発明の一実施形態を添付図面に従って説明する。
【００１０】
図１は、室内機本体１の断面図であり、この室内機本体１は、複数本の吊りボルト２を介して天井裏に吊り下げられて、その内部には、送風機３、熱交換器５、及びドレンパン７を備えて構成されている。この室内機本体１は、その底部に、天井裏に開口する吸込部９を有し、この吸込部９にはフィルタ１０を備える。また、室内機本体１の両側部には、夫々吹出部１１を有し、この吹出部１１には、ダクト１３が接続されており、このダクト１３は、図２〜図６に示すように、吹出しチャンバ１４に接続される。
【００１１】
図２は、室内機本体１をグリッドシステム天井に設置した状態を示す斜視図であり、図３は、吹出しチャンバ１４の設置の状態を天井裏から見た斜視図であり、図４は、吹出しチャンバ１４を拡大して示す斜視図である。また、図２では、説明の便宜上、複数枚の天井材２１を取り外した状態を示している。
【００１２】
このグリッドシステム天井は、図３に示すように、天井に複数本の吊り具１５、及び吊り金具１６を介して吊り下げられる保持バー（以下、Ｔバーという。）１７を備え、このＴバー１７は、グリッド状に組まれて、ほぼ水平に天井空間に配設されている。このＴバー１７は、上部に掴み部１８を備え、下部に受け部１９を備え、これらを連結部２０で連結して構成される。そして、掴み部１８には、吊り金具１６が連結され、この吊り金具１６に吊り具１５が連結される。また、グリッド状に組まれたＴバー１７の受け部１９には、その上面に載せるようにして、例えば、６００×６００ｍｍ又は６４０×６４０ｍｍの大きさの天井材２１が設置される。上述したように、近年、オフィス賃貸における貸し手、借り手の双方に自由度の高いグリッドシステム天井が提案されている。このグリッドシステム天井は、まず、オフィスをスケルトン貸しする。そして、借り手が自由に、上記吊り具１５、及び吊り金具１６を介してＴバー１７を吊り下げ、その受け部１９の上面に、上記大きさの天井材２１を載せることで、任意のシステム天井を導入する。これによれば、標準仕様で貸し出したオフィスを原状回復してから退去する従来のシステムと比べた場合、コストが大幅に削減される。
【００１３】
本実施形態では、上述した室内機本体１を天井裏に設置するにあたり、室内機本体１が、複数本の吊りボルト２を介して天井裏に吊り下げられ、この室内機本体１の吹出部１１にダクト１３を介して接続された吹出しチャンバ１４が、グリッドシステム天井に取り付けられる。すなわち、図３、図４及び図６に示すように、天井空間の任意の位置における、Ｔバー１７ＡとＴバー１７Ｂとの間の天井材２１を取り外して、この天井材２１の一部を切除し、この一部を切除して形成された開口２２（図６）に、吹出しチャンバ１４を臨ませる。１２は風向変更板である。この吹出しチャンバ１４の幅Ｗ（図４）は、天井材２１の大きさに対応させることが望ましく、例えば、その幅Ｗは、６００ｍｍ、又は６４０ｍｍ相当のサイズであり、そのサイズで準備することが望ましい。
【００１４】
本実施形態では、図３、図４及び図６に示すように、吹出しチャンバ１４における長手方向の外側の面（２カ所）と、短手方向の側面（２カ所）とに、Ｔバー１７に係合する位置出し部材２５が設けられる。この位置出し部材２５は、夫々ねじ２６を介して吹出しチャンバ１４に固定され、Ｔバー１７の掴み部１８における内外側部の内、外側部に当接する外側部当接材２５Ａを備えて構成される。本構成では、吹出しチャンバ１４における外側の面と外側部当接材２５Ａとの間に、Ｔバー１７の掴み部１８が挟まれる格好になる。施工手順を説明すると、室内機本体１を、複数本の吊りボルト２を介して天井裏に吊り下げ、この室内機本体１の吹出部１１にダクト１３を接続する。ついで、任意の位置におけるグリッドシステム天井の天井材２１を取り外し、その一部を切除して、そこに形成された開口２２に、吹出しチャンバ１４を臨ませ、その後に、天井裏で、この吹出しチャンバ１４と上記ダクト１３とを接続する。この吹出しチャンバ１４は、上述したように、４つの位置出し部材２５をＴバー１７に係合させることにより、当該Ｔバー１７に取り付けられる。この場合、強度的に見ると、吹出しチャンバ１４自体を、図示を省略した吊り具によって天井裏に吊り下げることが望ましい。
【００１５】
この吹出しチャンバ１４の内側の面には、図５及び図６に示すように、ねじ３１を介して補助具３３が取り付けられている。この補助具３３は、一部を切除した天井材２１の残りの部分２１Ａを保持する手段であり、この補助具３３によって、天井材２１の残りの部分２１Ａが安定的に且つ簡便に保持される。ただし、この天井材２１の他の３辺が、上述したように、Ｔバー１７の受け部１９の上面に保持される構成であるため、この補助具３３は、必須のものではなく、省略が可能である。
【００１６】
本構成では、図２に示すように、グリッドシステム天井における任意の４枚の天井材２１が取り外されて、その一部が切除され、一部を切除により形成された開口２２に、夫々吹出しチャンバ１４が取り付けられる。そして、各吹出しチャンバ１４間の天井材２１が合計４枚取り外され、その一部が切除され、一部を切除により形成された合計４つの開口に、図３及び図７に示すように、夫々吸込みチャンバ３４が形成される。この吸込みチャンバ３４は、四方枠体３４Ａで構成され、この枠体３４Ａに、上記と同様構成及び同様機能を有した、位置出し部材２５、及び補助具３３が取り付けられる。
【００１７】
図８は、本実施形態による吹出しチャンバ１４が設置されたグリッドシステム天井を、室内側から見た図であり、これによると、４つの吹出しチャンバ１４と、４つの吸込みチャンバ３４とが、同一方向に延びると共に、Ｔバー１７に沿って配置される。また、５１は照明器であり、この照明器５１も同一方向に延びる。従って、外観上、すっきりとした天井レイアウトが可能になる。図９は、別の実施形態を示し、この構成では、グリッドシステム天井に、４つの吹出しチャンバ１４だけが臨み、４つの吸込みチャンバは省略される。この場合、吸込みチャンバは、天井裏に連なる別の部位に形成される。これによれば、外観上、更にすっきりとした天井レイアウトが可能になる。
【００１８】
つぎに、動作を説明する。上記送風機３が駆動されると、図２に矢印で示すように、グリッドシステム天井における合計４つの吸込みチャンバ３４を介して、室内空気が天井裏に導かれ、この天井裏の空気が、吸込部９から室内機本体１内に吸い込まれる。そして、この空気は、熱交換器５に至り、ここで熱交換した後、吹出部１１、ダクト１３、及び吹出しチャンバ１４を介して、室内空間に吹出される。
【００１９】
一般に、この種のシステム天井では一枚でも天井材２１を取り外すと、天井全体の強度バランスが崩れる傾向がある。これに対し、本構成では、複数枚の天井材２１における夫々の一部が切除により取り除かれている。
【００２０】
本実施形態では、位置出し部材２５を介して、吹出しチャンバ１４とＴバー１７との間が連結され、この吹出しチャンバ１４を通じてＴバー１７間が強固に連結されるため、天井全体の強度バランスを保つことができ、システム天井の天井裏に、吹出しチャンバ１４を安定的に設置することができる。また、吸込みチャンバ３４においても、その位置出し部材２５を介して、枠体３４ＡとＴバー１７との間が連結され、この吸込みチャンバ３４の枠体３４Ａを通じてＴバー１７間が強固に連結されるため、天井全体の強度バランスを保つことができ、吸込みチャンバ３４を安定的に設置することができる。
【００２１】
また、本実施形態では、室内機本体１の底部に天井裏に開口する吸込部９を備えるため、この吸込部９に対向した１枚、又は２枚の天井材２１を取り外すことにより、そこに露出するフィルタ１０の交換を容易に行うことができる。
【００２２】
さらに、本構成では、室内機本体１の吹出部９、及び吹出しチャンバ１４が同一方向に延びることから、ダクト１３の取り回しが容易になる。また、上述した実施形態では、吹出しチャンバ１４の吹出口に、風向変更板が設けられていたが、これに限定されず、風向変更板を設けないものにも、本発明は適用可能である。
【図面の簡単な説明】
【００２３】
【図１】室内機本体を示す断面図である。
【図２】本発明による一実施形態を示す斜視図である。
【図３】天井裏から見た斜視図である。
【図４】吹出しチャンバを拡大して示す図である。
【図５】吹出しチャンバを示す図である。
【図６】吹出しチャンバを示す側面図である。
【図７】吸込口を示す側面図である。
【図８】天井レイアウトを示す図である。
【図９】別の天井レイアウトを示す図である。
【符号の説明】
【００２４】
１  室内機本体
３  送風機
５  熱交換器
７  ドレンパン
１４  吹出しチャンバ
１５  吊り具
１７  Ｔバー（保持バー）
１８  掴み部
１９  受け部
２１  天井材
２５  位置出し部材
２５Ａ  外側部当接材
３３  補助具
３４  吸込みチャンバ
【図１】
2005282957.tif 000003
【図２】
2005282957.tif 000004
【図３】
2005282957.tif 000005
【図４】
2005282957.tif 000006
【図５】
2005282957.tif 000007
【図６】
2005282957.tif 000008
【図７】
2005282957.tif 000009
【図８】
2005282957.tif 000010
【図９】
2005282957.tif 000011